(57)【特許請求の範囲】
【請求項１】
外壁に形成した貫通孔に挿入して固定されるパイプの取付構造において、外壁の屋外側の面に当接する鍔部を一体に形成し、前記貫通孔に屋外側から挿通されるようにしたパイプ本体の外周面の軸方向に沿って、基端側をパイプ本体の鍔部を貫通して屋外側に導出し、先端側にパイプ本体の挿通時に貫通孔を通過可能とし、パイプの取付時に外壁の屋内側の面に当接係止されるようにした当接片を備えた係止条片を配設するとともに、該係止条片に係合した状態でパイプ本体に当接させることにより係止条片の屋内側への移動を規制する係止部材を配設し、前記係止条片を、パイプ本体の貫通孔への挿通時に、パイプ本体の外周面の軸方向に沿って配設した係止条片の先端に備えた当接片が、パイプ本体の挿通方向前方のパイプ本体の中心側に位置するように偏倚し、挿通後に前記偏倚した当接片がパイプ本体の外周側に位置するように自動復帰する可撓性材料で構成したことを特徴とする外壁貫通パイプの取付構造。
【請求項２】
前記係止条片が、該係止条片の係止部材の係合部に歯列を備えるとともに、前記係止部材が、前記歯列と噛合する係止爪を備えてなることを特徴とする請求項１記載の外壁貫通パイプの取付構造。
【請求項３】
前記係止条片が、線条部材からなり、前記係止部材が、ばね板ナットからなることを特徴とする請求項１記載の外壁貫通パイプの取付構造。
【請求項４】
前記係止条片が、該係止条片の係止部材の係合部に雄ねじを備えるとともに、前記係止部材が、ナットからなることを特徴とする請求項１記載の外壁貫通パイプの取付構造。
【請求項５】
パイプ本体の外周面に間隔をあけて複数の係止条片及びこれに対応する係止部材を配設したことを特徴とする請求項１、２、３又は４記載の外壁貫通パイプの取付構造。
【請求項６】
前記鍔部にパイプ本体と同心状の環状体を一体に形成し、環状体と貫通孔の隙間に水密材を配設したことを特徴とする請求項１、２、３、４又は５記載の外壁貫通パイプの取付構造。
【発明の詳細な説明】
【技術分野】
【０００１】
本発明は、外壁貫通パイプの取付構造に関し、特に、外壁に形成した貫通孔に挿入して固定される外壁貫通パイプの取付構造に関するものである。
【背景技術】
【０００２】
換気装置のほか、屋内に配設する空調機と屋外に配設する室外機とを接続する配管や屋内外に設置された機器間を接続するためのケーブルを挿通するために、外壁に形成した貫通孔に挿入して固定される外壁貫通パイプが用いられており、この外壁貫通パイプの取付構造として種々の取付構造が提案されている（例えば、特許文献１〜３参照。）
【０００３】
ところで、一般に外壁貫通パイプを取り付ける際には、パイプを外壁に固定するために屋外と屋内の両側から作業をする必要があり、このため、２人の作業者が必要になったり、１人の作業者が屋外と屋内を行き来したりして作業をする必要があった。
また、従来の外壁貫通パイプの取付構造では、部品点数が多くコストが嵩むという問題もあった。
【先行技術文献】
【特許文献】
【０００４】
【特許文献１】特開２００６−１６１９９８号公報
【特許文献２】実用新案登録第２５９９１８４号公報
【特許文献３】実用新案登録第３１５７０９３号公報
【発明の概要】
【発明が解決しようとする課題】
【０００５】
本発明は、上記従来の外壁貫通パイプの取付構造の有する問題点に鑑み、屋外からの作業だけでパイプの取り付けを行うことができるとともに、部品点数を少なくすることができる外壁貫通パイプの取付構造を提供することを目的とする。
【課題を解決するための手段】
【０００６】
上記目的を達成するため、本発明の外壁貫通パイプの取付構造は、外壁に形成した貫通孔に挿入して固定されるパイプの取付構造において、外壁の屋外側の面に当接する鍔部を一体に形成し、前記貫通孔に屋外側から挿通されるようにしたパイプ本体の外周面の軸方向に沿って、基端側をパイプ本体の鍔部を貫通して屋外側に導出し、先端側にパイプ本体の挿通時に貫通孔を通過可能とし、パイプの取付時に外壁の屋内側の面に当接係止されるようにした当接片を備えた係止条片を配設するとともに、該係止条片に係合した状態でパイプ本体に当接させることにより係止条片の屋内側への移動を規制する係止部材を配設し、前記係止条片を、パイプ本体の貫通孔への挿通時に、パイプ本体の外周面の軸方向に沿って配設した係止条片の先端に備えた当接片が、パイプ本体の挿通方向前方のパイプ本体の中心側に位置するように偏倚し、挿通後に前記偏倚した当接片がパイプ本体の外周側に位置するように自動復帰する可撓性材料で構成したことを特徴とする。
【０００７】
この場合において、前記係止条片が、該係止条片の係止部材の係合部に歯列を備えるとともに、前記係止部材が、前記歯列と噛合する係止爪を備えるようにすることができる。
【０００８】
また、前記係止条片が、線条部材からなり、前記係止部材を、ばね板ナットから構成することができる。
【０００９】
また、前記係止条片が、該係止条片の係止部材の係合部に雄ねじを備えるとともに、前記係止部材を、ナットから構成することができる。
【００１０】
さらに、これらの場合において、パイプ本体の外周面に間隔をあけて複数の係止条片及びこれに対応する係止部材を配設することができる。
【００１１】
また、前記鍔部にパイプ本体と同心状の環状体を一体に形成し、環状体と貫通孔の隙間に水密材を配設することができる。
【発明の効果】
【００１２】
本発明の外壁貫通パイプの取付構造によれば、外壁の屋外側の面に当接する鍔部を一体に形成し、前記貫通孔に屋外側から挿通されるようにしたパイプ本体の外周面の軸方向に沿って、基端側をパイプ本体の鍔部を貫通して屋外側に導出し、先端側にパイプ本体の挿通時に貫通孔を通過可能とし、パイプの取付時に外壁の屋内側の面に当接係止されるようにした当接片を備えた係止条片を配設するとともに、該係止条片に係合した状態でパイプ本体に当接させることにより係止条片の屋内側への移動を規制する係止部材を配設することにより、屋外側からの作業のみで、外壁に形成した貫通孔に外壁貫通パイプを固定することができるとともに、鍔部と係止条片の先端側に設けた当接片とで外壁を挟み込んで固定することにより、固定のために必要とする締結部材の部品点数を少なくすることができる。
また、外壁を挟み込んで固定する際に、係止条片のパイプ本体の鍔部を貫通して屋外側に導出している基端側を引くことによって当接片を外壁の屋内側の面に当接させるようにしているので、外壁の厚みが変わっても最大の厚みに合わせた係止条片とパイプ本体の１種類を用意しておくだけで種々の厚みの外壁に取り付けることができる。
【００１３】
そして、前記係止条片を、パイプ本体の貫通孔への挿通時に、パイプ本体の外周面の軸方向に沿って配設した係止条片の先端に備えた当接片が、パイプ本体の挿通方向前方のパイプ本体の中心側に位置するように偏倚し、挿通後に前記偏倚した当接片がパイプ本体の外周側に位置するように自動復帰する可撓性材料で構成することにより、可撓性材料で構成した係止条片を撓ませることによって、係止条片の先端に備えた当接片をパイプ本体の中心側に位置するように偏倚させた状態でパイプ本体を貫通孔へ挿通し、挿通後に偏倚した当接片をパイプ本体の外周側に位置するように自動復帰させ、当接片と鍔部とで外壁を挟み込んで、外壁に形成した貫通孔に外壁貫通パイプを固定することができる。
【００１４】
また、前記係止条片が、該係止条片の係止部材の係合部に歯列を備えるとともに、前記係止部材が、前記歯列と噛合する係止爪を備えるようにすることにより、係止条片のパイプ本体の鍔部を貫通して屋外側に導出している基端側を引くことによって、当接片の屋内側への移行が確実に阻止され、当接片と鍔部とで外壁を挟み込んで、外壁に形成した貫通孔に外壁貫通パイプを固定することができる。
【００１５】
また、前記係止条片が、線条部材からなり、前記係止部材が、ばね板ナットから構成することにより、係止条片のパイプ本体の鍔部を貫通して屋外側に導出している基端側を引くことによって、当接片の屋内側への移行が確実に阻止され、当接片と鍔部とで外壁を挟み込んで、外壁に形成した貫通孔に外壁貫通パイプを固定することができる。
【００１６】
また、前記係止条片が、該係止条片の係止部材の係合部に雄ねじを備えるとともに、前記係止部材が、ナットから構成することにより、係止部材の係合部に備えた雄ねじにナットを螺合、締結することによって、当接片の屋内側への移行が確実に阻止され、当接片と鍔部とで外壁を挟み込んで、外壁に形成した貫通孔に外壁貫通パイプを固定することができる。
【００１７】
また、パイプ本体の外周面に間隔をあけて複数の係止条片及びこれに対応する係止部材を配設することにより、パイプ本体を安定して強固に外壁に固定することができる。
【００１８】
また、前記鍔部にパイプ本体と同心状の環状体を一体に形成し、環状体と貫通孔の隙間に水密材を配設することにより、環状体が、外壁に形成した貫通孔の中心とパイプ本体の中心との位置合わせとしての機能を発揮することができ、貫通孔とパイプ本体との位置合わせのための部材を別途用意する必要がなく、また、外壁貫通パイプを外壁に固定したときに水密材によって外部からの雨水の浸入を防止することができる。
【図面の簡単な説明】
【００１９】
【図１】本発明の外壁貫通パイプの取付構造の一実施例を示す断面図である。
【図２】同外壁貫通パイプの取付構造に用いるパイプ本体を示し、（ａ）は背面図（屋内側から見た図）、（ｂ）は（ａ）のＸ−Ｘ断面図である。
【図３】同外壁貫通パイプの取付構造に用いる係止条片及び係止部材を示し、（ａ）は係止条片の側面図、（ｂ）は同背面図、（ｃ）は係止部材の背面図、（ｄ）は（ｃ）のＹ−Ｙ断面拡大図である。
【図４】本発明の外壁貫通パイプの取付構造を用いて、外壁貫通パイプを外壁の貫通孔に挿入して固定する手順を示す説明図で、（ａ）は挿入前、（ｂ）は挿入中、（ｃ）は固定後を示す。
【図５】外壁貫通パイプの取付構造に用いる係止条片及び係止部材の参考例を示し、（ａ）は係止条片の側面図、（ｂ）は同背面図、（ｃ）は係止部材の背面図、（ｄ）は（ｃ）のＺ−Ｚ断面拡大図である。
【図６】外壁貫通パイプの取付構造の参考例を示す断面図である。
【図７】同外壁貫通パイプの取付構造に用いる係止条片及び係止部材を示し、（ａ）は側面図、（ｂ）は背面図である。
【図８】本発明の外壁貫通パイプの取付構造の変形実施例を示す断面図である。
【図９】同外壁貫通パイプの取付構造に用いる係止条片及び係止部材の変形実施例を示し、（ａ）は係止条片の側面図、（ｂ）は同背面図、（ｃ）は係止部材の正面図、（ｄ）は平面図、（ｅ）は（ｃ）のＶ−Ｖ断面図である。
【図１０】同外壁貫通パイプの取付構造に用いる係止部材を示し、（ａ１）はプッシュナットを示す平面図、（ａ２）は同側面図、（ｂ１）はフラットプッシュナットを示す平面図、（ｂ２）は（ｂ１）のＷ−Ｗ断面図、（ｃ１）はＣＳ形止め輪を示す平面図、（ｃ２）は同側面図である。
【発明を実施するための形態】
【００２０】
以下、本発明の外壁貫通パイプの取付構造の実施の形態を、図面に基づいて説明する。
【実施例１】
【００２１】
図１〜図４に、本発明の外壁貫通パイプの取付構造の一実施例を示す。
この外壁貫通パイプ１の取付構造は、外壁Ｗに形成した貫通孔Ｈに挿入して固定されるパイプの取付構造であって、外壁Ｗの屋外側の面Ｗ１に当接する鍔部２２を一体に形成し、貫通孔Ｈに屋外側から挿通されるようにしたパイプ本体２の外周面２ａの軸方向に沿って、基端側３Ａをパイプ本体２の鍔部２２を貫通して屋外側に導出し、先端側３Ｂにパイプ本体２の挿通時に貫通孔Ｈを通過可能とし、外壁貫通パイプ１の取付時に外壁Ｗの屋内側の面Ｗ２に当接係止されるようにした当接片３１を備えた係止条片３を配設するとともに、この係止条片３に係合した状態でパイプ本体２に当接させることにより係止条片３の屋内側への移動を規制する係止部材４を配設するように配設するようにしている。
【００２２】
パイプ本体２は、図２に示すように、内筒２１と、内筒２１の一端に一体に形成した鍔部２２とからなり、鍔部２２には、係止条片３の基端側３Ａを、鍔部２２を貫通して屋外側に導出するための孔部２２ａを複数の箇所（本実施例においては、周上略等間隔に３箇所）に形成する。
また、この孔部２２ａに対応する内筒２１の外周面２ａの位置に、係止部材４を周方向及び軸方向の移動を規制して配設することができるようにするためのポケット部２ｂを形成するようにしている。
このポケット部２ｂは、後述する環状体２３の切り欠き部分２３ａと、鍔部２２に開口した孔部２２ａの周辺の内壁面と、外周面２ａから突設され、係止条片３の通過を許容する切り欠き部を有する規制片２４とによって区画して形成されている。
【００２３】
そして、鍔部２２にパイプ本体２の内筒２１と同心状の環状体２３を一体に形成し、環状体２３と貫通孔Ｈの隙間に水密材Ｓを配設するようにしている。
水密材Ｓは、例えば、エチレン−プロピレン−ジエンゴム（ＥＰＤＭ）等のシール材として汎用されている材料からなり、円筒状に形成したものを使用し、環状体２３に環装した状態で使用するようにしている。
これによって、環状体２３が、外壁Ｗに形成した貫通孔Ｈの中心とパイプ本体２の中心との位置合わせとしての機能を発揮することができ、貫通孔Ｈとパイプ本体２との位置合わせのための部材を別途用意する必要がなく、また、外壁貫通パイプ１を外壁Ｗに固定したときに水密材Ｓによって外部からの雨水の浸入を防止することができる。
また、鍔部２２の内面側には、例えば、エチレン−プロピレン−ジエンゴム（ＥＰＤＭ）等のシール材として汎用されている材料からなる環状のパッキンＰ１を配設するとともに、孔部２２ａにも、孔部２２ａに挿通される係止条片３に密着するエチレン−プロピレン−ジエンゴム（ＥＰＤＭ）等のシール材として汎用されている材料からなる孔用パッキンＰ２を配設し、外部からの雨水の浸入を防止するようにしている。
なお、環状体２３を含むパイプ本体２は、ポリオレフィン樹脂、塩化ビニル樹脂等の合成樹脂のほか、アルミニウム、鉄、ステンレススチール等の金属で構成することができる。
【００２４】
係止条片３は、図３（ａ）〜図３（ｂ）に示すように、基端側３Ａと当接片３１が形成される先端側３Ｂとの間に、後述する係止部材４の係止爪４０に噛合する歯列３０を形成し、係止部材４に噛合して取り付けられた後は、屋内側への移動が規制されるようにしている。
【００２５】
そして、この係止条片３を、パイプ本体２の貫通孔Ｈへの挿通時に係止条片３の先端に備えた当接片３１がパイプ本体２の中心側に位置するように偏倚し、挿通後に偏倚した当接片３１がパイプ本体２の外周側に位置するように自動復帰する可撓性材料で構成する。
この場合、可撓性材料で構成する係止条片３は、所定の強度と弾性を有し、パイプ本体２の固定時の壁面からの反力と取り付ける際に、係止条片３の先端に備えた当接片３１がパイプ本体２の中心側に位置する偏倚に耐え得る材料である限りにおいて、特に限定されるものではないが、本実施例においては、ポリアミド樹脂、ポリアセタール樹脂（ＰＯＭ）等の合成樹脂やばね鋼等の金属からなる可撓性材料を用いるようにしている。
【００２６】
係止部材４には、図３（ｃ）〜図３（ｄ）に示すように、係止条片３が挿通される挿入孔４ａを開口するとともに、挿入孔４ａに係止条片３の歯列３０が噛合する係止爪４０を形成するようにしている。
【００２７】
また、本実施例においては、パイプ本体２の外周面２ａに間隔をあけて複数の係止条片３及びこれに対応する係止部材４を配設するようにしている。
配設数は、特に限定されるものではないが、本実施例においては、周上略等間隔に３箇所に配設するようにしている。
これによって、外壁貫通パイプ１を安定して強固に外壁Ｗに固定することができる。
【００２８】
このように、この外壁貫通パイプ１は、パイプ本体２、係止条片３及び係止部材４とからなり、係止条片３は、基端側３Ａをパイプ本体２の鍔部２２の近傍に形成されたポケット部２ｂに配置され周方向及び軸方向の移動が規制された係止部材４に開口した挿入孔４ａに挿通する際、屋外側への移動は許容されるものの、歯列３０が挿入孔４ａに形成された係止爪４０に噛合するために屋内側への移動は規制されることとなる。
そして、挿入孔４ａを通過した係止条片３の基端側３Ａは、鍔部２２に開口した孔部２２ａを通過することによって、鍔部２２を貫通して屋外側に導出され、屋外側から係止条片３を操作することができるようになっている。
【００２９】
次に、この外壁貫通パイプ１を外壁Ｗに形成した貫通孔Ｈに挿入して固定する手順を、図４に基づいて説明する。
この貫通孔Ｈは、外壁Ｗの屋外側の面Ｗ１側に、貫通孔Ｈの孔径よりも大径で、パイプ本体２の鍔部２２の外径よりも小径となる窪み部を設け、パイプ本体２の鍔部２２が外壁Ｗから突出することがないようにしている。
【００３０】
まず、図４（ａ）に示すように、パイプ本体２に、係止条片３を、係止部材４と噛合し、その基端側３Ａが鍔部２２を貫通して屋外側に導出した状態となるように、かつ、長さに余裕を持たせて取り付ける。そして、外壁貫通パイプ１の係止条片３の先端側３Ｂの当接片３１が貫通孔Ｈを通過することができるように、可撓性材料で構成した係止条片３を撓ませることによって、係止条片３の先端に備えた当接片３１をパイプ本体２の中心側に位置するように偏倚させるようにする。
【００３１】
そして、この状態から、図４（ｂ）に示すように、パイプ本体２を貫通孔Ｈに挿入し、鍔部２２を外壁Ｗの屋外側の面Ｗ１に当接する。
挿入の際、係止条片３の当接片３１は、貫通孔Ｈに進入すると素材の弾性力によって貫通孔Ｈの内周面に当接しながら進行する。
そして、屋内側に到達したときに、偏倚した当接片３１はパイプ本体２の外周側に位置するように自動復帰する。
また、環状体２３と、環状体２３に環装された水密材Ｓとによって、パイプ本体２の位置決めと、外壁貫通パイプ１の固定後における貫通孔Ｈの隙間からの雨水の浸入を防止する。
【００３２】
この状態で、図４（ｃ）に示すように、係止条片３の屋外に導出されている基端側３Ａを、屋外側へ引っ張ることによって、係止条片３の当接片３１を屋外側に引き寄せ、外壁Ｗの屋内側の面Ｗ２に当接させて、鍔部２２と当接片３１とにより外壁Ｗを挟み込むようにして、外壁貫通パイプ１を外壁Ｗに形成した貫通孔Ｈに固定する。このとき、係止条片３は、係止条片３の歯列３０と係止部材４の係止爪４０との噛合構造によって、引っ張る方向にのみ移動可能で、逆方向には移動できず、固定状態が維持されるようになる。
【００３３】
そして、必要に応じて、屋外側に引っ張ることによって突出した係止条片３の基端側３Ａを、鍔部２２の近傍で切断する。
【００３４】
また、鍔部２２の屋外面側には、例えば、３箇所の位置に、例えば、エチレン−プロピレン−ジエンゴム（ＥＰＤＭ）等の耐候性材料からなるバックアップ材Ｂを配設するようにしている。
このバックアップ材Ｂは、外壁貫通パイプ１に換気材を施工するときに、換気材のコーキングポケットと外壁Ｗの柄取り部との間に生じる隙間を埋めるために配設されるものである。
【００３５】
ところで、上記実施例においては、歯列３０を備えた可撓性材料からなる係止条片３を用い、係止条片３の歯列３０と係止部材４の係止爪４０とを噛合させることによって係止条片３の移動方向を規制して、外壁貫通パイプ１を外壁Ｗに形成した貫通孔Ｈに固定するようにしたが、係止条片３及び係止部材４の構成は、これに限定されず、例えば、図５に示す参考例のように、歯列３０を備えた金属等の剛性材料からなる係止条片３を用いたり（この場合、パイプ本体２を貫通孔Ｈに挿入する際は、係止条片３の先端側３Ｂの当接片３１が貫通孔Ｈを通過することができるように、係止条片３を、例えば、１８０°回転させることによって、当接片３１が内筒２１の中心側に向くようにし、パイプ本体２を貫通孔Ｈに挿入した後、係止条片３を、例えば、１８０°回転させた後、係止条片３の屋外に導出されている基端側３Ａを、屋外側へ引っ張ることによって、係止条片３の当接片３１を屋外側に引き寄せ、外壁Ｗの屋内側の面Ｗ２に当接させて、鍔部２２と当接片３１とにより外壁Ｗを挟み込むようにして、外壁貫通パイプ１を外壁Ｗに形成した貫通孔Ｈに固定するようにする。）、図６〜図７に示す参考例のように、金属等の剛性材料からなる係止条片３を用い（この場合のパイプ本体２を貫通孔Ｈに挿入する際の手順は、図５に示す参考例と同様である。）、係止条片３の係合部に形成した雄ねじ３２とナット部材からなる係止部材４とを螺合し、ナット部材からなる係止部材４を締結することによって（この場合、シールのために、必要に応じて、エチレン−プロピレン−ジエンゴム（ＥＰＤＭ）等のシール材として汎用されている材料からなるパッキンＰ３を配設することができる。）係止条片３の移動方向を規制して、外壁貫通パイプ１を外壁Ｗに形成した貫通孔Ｈに固定するようにすることができる。
なお、図６〜図７に示す参考例において、係止条片３を可撓性材料から構成すること（変形実施例）もでき、この場合のパイプ本体２を貫通孔Ｈに挿入する際の手順は、図１〜図４に示す実施例と同様となる。
【００３６】
また、上記実施例及び変形実施例においては、係止条片３に歯列３０や雄ねじ３２を備えたものを用いるようにしたが、図８〜図９に示す変形実施例のように、係止条片３を金属等の線条部材３３で、係止部材４をばね板ナット４１で構成することができる。
係止部材４を構成するばね板ナット４１は、線条部材３３からなる係止条片３の一方向の移動は許容するも、他方向の移動はばねの作用を以て抗い阻止するようにしたもので、本実施例においては、線条部材３３からなる係止条片３が、屋外側への移動は許容され、屋内側への移動は阻止される向きに、ばね板ナット４１をパイプ本体２に配設するようにする。
この場合、ばね板ナット４１による線条部材３３からなる係止条片３の保持力を高めるために係止条片３の係止部材４の係合部にローレット加工Ｒを施すことができる。
これによって、ばね板ナット４１のばね作用が生じる際に、ばね板ナット４１の挿通孔４１ｂを形成するばね板部４１ａの先端が、ローレット加工Ｒが施された係止条片３に引っ掛かり、係止条片３の屋内側への移動を強力に阻止することができ、外壁貫通パイプ１を外壁Ｗに形成した貫通孔Ｈに強固に固定するようにすることができる。
【００３７】
図８〜図９に示す変形実施例の場合、係止条片３を構成する線条部材３３は、可撓性材料から構成することも、また、剛性材料から構成すること（参考例）もできる。
そして、係止条片３を構成する線条部材３３を可撓性材料から構成した場合には、パイプ本体２を貫通孔Ｈに挿入する際の手順は、図１〜図４に示す実施例と同様となり、また、剛性材料から構成した場合には、図５に示す参考例と同様となる。
【００３８】
なお、係止部材４を構成するばね板ナット４１には、図９（ｃ）〜図９（ｅ）に示すようなスピードナット（スピードナットの形状は、図示の角形のほか、丸形やＵ形のものを用いることもできる。）のほか、係止条片３を挿通する挿通孔４１ｂと係止条片３に係合するばね板部４１ａを形成するものであれば、図１０（ａ１）〜図１０（ａ２）に示すような軸用プッシュナット、図１０（ｂ１）〜図１０（ｂ２）に示すようなフラットプッシュナット、図１０（ｃ１）〜図１０（ｃ２）に示すようなＣＳ形止め輪等、汎用のばね板ナットを用いることができる。
【００３９】
以上、本発明の外壁貫通パイプの取付構造について、複数の実施例に基づいて説明したが、本発明は上記実施例に記載した構成に限定されるものではなく、その趣旨を逸脱しない範囲において適宜その構成を変更することができるものである。
【産業上の利用可能性】
【００４０】
本発明の外壁貫通パイプの取付構造は、屋外からの作業だけでパイプの取り付けを行うことができるとともに、部品点数を少なくすることができるという特性を有していることから、外壁の貫通孔に挿入して固定する外壁貫通パイプの取り付けの用途に広く用いることができ、新設のほか、既設の建造物の外壁貫通パイプの取り付けの用途にも用いることができる。
【符号の説明】
【００４１】
１    外壁貫通パイプ
２    パイプ本体
２２  鍔部
２３  環状体
３    係止条片
３Ａ  基端側
３Ｂ  先端側
３０  歯列
３１  当接片
３２  雄ねじ
３３  線条部材
４    係止部材
４０  係止爪
４１  ばね板ナット
Ｈ    貫通孔
Ｓ    水密材
Ｗ    外壁
Ｗ１  外壁の屋外側の面
Ｗ２  外壁の屋内側の面
【要約】
【課題】屋外からの作業だけでパイプの取り付けを行うことができるとともに、部品点数を少なくすることができる外壁貫通パイプの取付構造を提供すること。
【解決手段】外壁Ｗに形成した貫通孔Ｈに挿入して固定されるパイプの取付構造であって、外壁Ｗの屋外側の面Ｗ１に当接する鍔部２２を一体に形成し、貫通孔Ｈに屋外側から挿通されるようにしたパイプ本体２の外周面２ａの軸方向に沿って、基端側３Ａをパイプ本体２の鍔部２２を貫通して屋外側に導出し、先端側３Ｂにパイプ本体２の挿通時に貫通孔Ｈを通過可能とし、外壁貫通パイプ１の取付時に外壁Ｗの屋内側の面Ｗ２に当接係止されるようにした当接片３１を備えた係止条片３を配設するとともに、この係止条片３に係合した状態でパイプ本体２に当接させることにより係止条片３の屋内側への移動を規制する係止部材４を配設する。
【選択図】図１【図１】
0004832603.tif 000002
【図２】
0004832603.tif 000003
【図３】
0004832603.tif 000004
【図４】
0004832603.tif 000005
【図５】
0004832603.tif 000006
【図６】
0004832603.tif 000007
【図７】
0004832603.tif 000008
【図８】
0004832603.tif 000009
【図９】
0004832603.tif 000010
【図１０】
0004832603.tif 000011